(57)【特許請求の範囲】
【請求項１】
受信可能な複数の放送局をそれぞれの地域識別情報とともに登録する放送局登録手段と、
前記放送局登録手段によって登録された一の前記放送局の番組情報を受信する番組受信手段と、
前記番組受信手段によって受信中の前記放送局の受信状態が悪化したときに、この放送局に対応する前記地域識別情報が、前記放送局登録手段によって登録された複数の前記放送局のそれぞれに対応する前記地域識別情報の中で多数派か否かを判定する地域識別判定手段と、
前記地域識別判定手段によって多数派である旨の判定が行われたときに、前記番組受信手段による受信中に受信状態が悪化した前記放送局の系列局を検索するサーチ動作、または、所定の受信周波数範囲について放送局を検索するスキャン動作を行う放送局検索手段と、
を備えることを特徴とするデジタル放送受信装置。
【請求項２】
請求項１において、
前記地域識別判定手段によって多数派である旨の判定が行われなかったときに、多数派となった前記地域識別情報に対応する前記放送局の受信状態を調査する多数派放送局調査手段をさらに備え、
前記放送局検索手段は、前記多数派放送局調査手段による調査によって得られた前記放送局の受信状態も悪化している場合に前記サーチ動作または前記スキャン動作を行うことを特徴とするデジタル放送受信装置。
【請求項３】
請求項２において、
前記放送局登録手段は、前記多数派放送局調査手段による調査によって得られた多数派の前記放送局の受信状態が悪化していない場合に、前記番組受信手段による受信中に受信状態が悪化した前記放送局について、利用者によって削除指示がなされたときに登録を削除することを特徴とするデジタル放送受信装置。
【請求項４】
請求項１〜３のいずれか一項において、
前記番組受信手段によって受信中の前記放送局の受信状態が悪化したときに、この放送局の番組と同じ内容の番組を放送する中継局であって、受信状態が悪化した放送局よりも受信状態が良好な中継局を検索する中継局検索手段をさらに備え、
前記放送局検索手段は、前記中継局検索手段による検索によって該当する前記中継局が検出できなかったときに前記サーチ動作または前記スキャン動作を行うことを特徴とするデジタル放送受信装置。
【請求項５】
請求項１〜４のいずれか一項において、
前記地域識別判定手段は、前記地域識別情報の中で多数派であるか否かを、前記地域識別情報の中で過半数を占めるか否かで判定することを特徴とするデジタル放送受信装置。
【請求項６】
請求項１〜５のいずれか一項において、
前記番組受信手段は、地上デジタル放送によって配信される放送波を受信することを特徴とするデジタル放送受信装置。
【発明の詳細な説明】
【技術分野】
【０００１】
本発明は、車両等に搭載され、あるいは、利用者によって携帯されて映像や音声などのデジタル放送等を受信するデジタル放送受信装置に関する。
【背景技術】
【０００２】
従来から、（１）車両等の移動体の移動に伴ってこの移動体が向かっていく地域のチャンネルリストをプリセット情報に反映したり、（２）移動体の移動に伴って受信状態が悪化したときに全周波数をスキャンするようにしたデジタル放送受信装置が知られている（例えば、特許文献１参照。）。これらの手法を用いることにより、移動体が県境を跨いで隣接県に進入するような場合であっても、受信可能な放送局を自動的にプリセット登録して、視聴を希望する放送局を簡単な操作で選択することができる。
【先行技術文献】
【特許文献】
【０００３】
【特許文献１】特開２００８−１８７３７８号公報
【発明の概要】
【発明が解決しようとする課題】
【０００４】
ところで、特許文献１に開示された（１）の手法では、移動体が向かっていく地域を予測するためにナビゲーション装置が必要になり、装置規模が大きくなって製品自体が高価になる。このため、安価にデジタルテレビを視聴したいと考える利用者向けの製品としては採用が難しい。
【０００５】
一方、特許文献１に開示された（２）の手法では、県境を跨いで移動体が隣接県に進入する場合に、移動前の県に対して移動後の県の系列局が減少するような場合であってこのような系列局を受信中に受信状態が悪化すると、スキャン動作の実施回数が多くなって、放送波の受信が中断したり受信品質が低下するという問題があった。
【０００６】
例えば、茨城県を走行中の車両が県境を越えて福島県に入る場合に、リモコン番号７にプリセットされている関東広域放送の「テレビ東京」の番組を地上デジタル放送受信機で受信している場合を考える。この状態で車両が福島県に向けて走行すると「テレビ東京」の番組の受信状態が次第に悪化して自動的に放送局のスキャン動作が実施されると、７以外のリモコン番号に対応して、関東広域放送の各放送局に対応する福島県内の系列局が検出されて各リモコン番号にプリセット登録される。しかし、リモコン番号「７」に登録された関東広域放送の「テレビ東京」については福島県内に対応する系列局がないため、受信状態が多少悪化しても同じ「テレビ東京」が登録される。
【０００７】
その後、「テレビ東京」の番組受信を継続しながらさらに福島県内に深く進入すると番組の受信状態がさらに悪化して番組受信が困難になると再度自動的に放送局のスキャン動作が実施されることになる。このスキャン動作では、７以外のリモコン番号に対応して、福島県内の放送局が検出されて各リモコン番号にプリセット登録される。この登録内容自体は、先に実施されたスキャン動作に対応してプリセット登録された内容と同じとなる。また、リモコン番号「７」については、該当する放送局がないため未登録となる。
【０００８】
このように、福島県内の受信可能な放送局を検出してプリセット登録するためにスキャン動作を２回繰り返すことになり、スキャン動作中は番組の受信が中断して受信品質が低下することになる。複数のチューナ部が備わっている場合にはその一部を用いてバックグラウンド処理にてサーチ動作を行うことも考えられるが、この場合であっても、残りのチューナ部を用いて番組受信を継続することになるため、ダイバーシティ受信を解除したり、ダイバーシティ受信を行うチューナ部の数を減らす必要があり、番組の受信品質が低下することに変わりはない。
【０００９】
本発明は、このような点に鑑みて創作されたものであり、その目的は、移動に伴って受信可能な放送局が変化する場合の受信品質の低下を抑制することができるデジタル放送受信装置を提供することにある。
【課題を解決するための手段】
【００１０】
上述した課題を解決するために、本発明のデジタル放送受信装置は、受信可能な複数の放送局をそれぞれの地域識別情報とともに登録する放送局登録手段と、放送局登録手段によって登録された一の放送局の番組情報を受信する番組受信手段と、番組受信手段によって受信中の放送局の受信状態が悪化したときに、この放送局に対応する地域識別情報が、放送局登録手段によって登録された複数の放送局のそれぞれに対応する地域識別情報の中で多数派か否かを判定する地域識別判定手段と、地域識別判定手段によって多数派である旨の判定が行われたときに、番組受信手段による受信中に受信状態が悪化した放送局の系列局を検索するサーチ動作、または、所定の受信周波数範囲について放送局を検索するスキャン動作を行う放送局検索手段とを備えている。
【００１１】
移動に伴って受信中の放送局の受信状態が悪化したときにこの放送局の地域識別情報が多数派の場合に放送局（あるいは系列局）を検索するスキャン動作やサーチ動作を行っている。このため、受信状態が悪化した放送局の地域識別情報が少数派の場合にスキャン動作やサーチ動作を省略することが可能になり、この放送局の受信を継続した場合に複数回のスキャン動作やサーチ動作が繰り返されることを回避でき、頻繁にスキャン動作やサーチ動作が繰り返されることによる受信品質の低下を抑制することが可能となる。
【００１２】
また、上述した地域識別判定手段によって多数派である旨の判定が行われなかったときに、多数派となった地域識別情報に対応する放送局の受信状態を調査する多数派放送局調査手段をさらに備え、放送局検索手段は、多数派放送局調査手段による調査によって得られた放送局の受信状態も悪化している場合にサーチ動作またはスキャン動作を行うことが望ましい。受信中の放送波の地域識別情報が少数派に属する場合であっても、多数派に属する地域識別情報を有する他の放送局の受信状態も同時に悪化している場合には放送局のサーチ動作やスキャン動作が行われるため、移動に伴って各放送局の受信環境全体が悪化した場合に、その場所で良好な受信が可能な放送局に入れ替えることが可能となる。
【００１３】
また、上述した放送局登録手段は、多数派放送局調査手段による調査によって得られた多数派の放送局の受信状態が悪化していない場合に、番組受信手段による受信中に受信状態が悪化した放送局について、利用者によって削除指示がなされたときに登録を削除することが望ましい。これにより、サーチ動作やスキャン動作の無駄な繰り返しを回避しつつ、不必要な登録情報の削除が可能となる。
【００１４】
また、上述した番組受信手段によって受信中の放送局の受信状態が悪化したときに、この放送局の番組と同じ内容の番組を放送する中継局であって、受信状態が悪化した放送局よりも受信状態が良好な中継局を検索する中継局検索手段をさらに備え、放送局検索手段は、中継局検索手段による検索によって該当する中継局が検出できなかったときにサーチ動作またはスキャン動作を行うことが望ましい。受信状態が良好な中継局が存在する場合には受信状態が悪化した放送局をこの中継局と入れ替えることが可能なり、無駄なサーチ動作を回避することができる。
【００１５】
また、上述した地域識別判定手段は、地域識別情報の中で多数派であるか否かを、地域識別情報の中で過半数を占めるか否かで判定することが望ましい。また、上述した番組受信手段は、地上デジタル放送によって配信される放送波を受信することが望ましい。
【図面の簡単な説明】
【００１６】
【図１】一実施形態の地上デジタル放送受信機の構成を示す図である。
【図２】茨城県を走行中に登録されたプリセット情報の一例を示す図である。
【図３】茨城県から福島県に進入した直後の県境付近において登録されたプリセット情報の一例を示す図である。
【図４】茨城県から福島県に進入した直後の県境付近において登録されたプリセット情報の他の例を示す図である。
【図５】ＰＭＴのデータ構造を示す図である。
【図６】サービス識別の詳細なビット配列を示す図である。
【図７】現在受信中の放送局の受信状態が悪化したときにプリセット情報を更新する動作手順を示す流れ図である。
【図８】ＢＩＴのデータ構造を示す図である。
【図９】ＢＩＴの拡張ブロードキャスタ記述子のデータ構造を示す図である。
【発明を実施するための形態】
【００１７】
以下、本発明を適用した一実施形態の地上デジタル放送受信機について、図面を参照しながら説明する。図１は、一実施形態の地上デジタル放送受信機の構成を示す図である。図１に示すように、本実施形態の地上デジタル放送受信機１００は、４つのチューナ部１０、１２、１４、１６、２つのＯＦＤＭ（Orthogonal Frequency Division Multiplex）復調部３０、３２、ＭＰＥＧデコーダ４０、デジタル−アナログ変換器（Ｄ／Ａ）４２、スピーカ４４、表示処理部４６、表示装置４８、制御部５０、プリセット情報格納部６０を含んで構成されている。
【００１８】
チューナ部１０、１２、１４、１６のそれぞれは、指定された放送局に対応する受信周波数の放送波をアンテナを介して受信する。ＯＦＤＭ復調部３０、３２のそれぞれは、複数のチューナ部から入力される放送信号（ＩＦ信号）に対してＯＦＤＭ復調処理を行い、ＴＳ（トランスポートストリーム）信号を出力する。本実施形態では、複数のチューナ部から入力される放送信号を用い、これらの放送信号の位相を調整した後に合成して受信する合成ダイバーシティ構成が採用され、使用するチューナ部の数が多い程Ｃ／Ｎを向上させることができる。
【００１９】
また、本実施形態では、４つのチューナ部１０、１２、１４、１６から出力される４つのＩＦ信号を合成してＯＦＤＭ復調処理を行う４合成ダイバーの動作がＯＦＤＭ復調部３０によって行われる。この４合成ダイバーの動作を行う際には、一方のＯＦＤＭ復調部３２の出力信号が他方のＯＦＤＭ復調部３０に入力されて、このＯＦＤＭ復調部３０によってＩＦ信号の合成およびＯＦＤＭ復調処理が行われる。
【００２０】
ＭＰＥＧデコーダ４０は、ＯＦＤＭ復調部３０、３２から出力されるＴＳ信号に含まれる受信番組の音声および映像のＭＰＥＧ信号をデコードし、音声データおよび映像データを出力する。なお、実際には、ＯＦＤＭ復調部３０、３２から出力されるＴＳ信号はデマルチプレクサに入力されて、利用者が視聴を希望している番組に対応する音声および映像のＭＰＥＧ信号が分離されるが、このような番組の受信動作自体は従来手法と同じであって、図１では概略構成のみが図示されている。
【００２１】
デジタル−アナログ変換器４２は、ＭＰＥＧデコーダ４０から出力される音声データをアナログ音声信号に変換し、スピーカ４４から出力する。表示処理部４６は、ＭＰＥＧデコーダ４０から出力される映像データを表示に適した形式（例えば、ＮＴＳＣ形式）の映像信号に変換して表示装置４８に表示する。
【００２２】
制御部５０は、地上デジタル放送受信機１００の番組受信動作と中継局や系列局を含む放送局のスキャン動作やサーチ動作を含む全体を制御する。この制御部５０は、受信状態判定部５１、受信周波数設定部５２、中継局検索部５３、地域識別判定部５４、多数派放送局調査部５５、放送局検索処理部５６、手動設定部５７、放送局登録部５８を備えている。
【００２３】
放送局登録部５８は、プリセット番号（リモコン番号）毎に、受信可能な複数の放送局とそれぞれの地域識別情報とが少なくとも含まれるプリセット情報をプリセット情報格納部６０に格納（登録）する。
【００２４】
図２は、茨城県を走行中に登録されたプリセット情報の一例を示す図である。図２に示す例では、プリセット番号１〜２、４〜８のそれぞれに対応して、地域識別が「関東広域」となる７つの放送局が設定されている。
【００２５】
図３は、茨城県から福島県に進入した直後の県境付近において登録されたプリセット情報の一例を示す図である。県境付近では、地域識別が「関東広域」となっている放送局の受信状態が悪化するため、その時点で受信可能な放送局を検索すると、プリセット番号１〜６、８については地域識別が「関東広域」となる放送局に代えて、これらの放送局の系列局が検出されて登録される。しかし、プリセット番号７の「テレビ東京」の系列局が福島県にはないため、このプリセット番号７については、受信状態が悪化した「テレビ東京」が再び検出されて登録される場合がある（図３）。なお、受信状態が悪化した「テレビ東京」が検出されず、登録から外れた場合には、図４に示すプリセット情報となる。この図４に示す例では、プリセット番号７については「テレビ東京」が登録されずに空欄になっている。
【００２６】
受信状態判定部５１は、４つのチューナ部１０〜１６（あるいはその一部）を用いて受信した放送波の受信状態を判定する。受信周波数設定部５２は、４つのチューナ部１０〜１６のそれぞれにおいて放送波を受信する周波数を設定する。
【００２７】
中継局検索部５３は、その時点で受信中の放送局に対応する中継局であって、それまで受信していた放送局よりも受信状態が良好な中継局を検索する。具体的には、中継局検索部５３は、チューナ部１０〜１６に指示を送ってそれぞれの受信周波数を順番に切り替えながら、各受信周波数の放送波を送信する放送局が、受信周波数切替前に受信していた放送局の同じ番組内容の中継局であるか否かを判定する。中継局の場合には、この中継局の受信状態が受信周波数切り替え前の放送局の受信状態（受信状態の判定自体は受信状態判定部５１によって行われる）よりも良好か否かを判定する。
【００２８】
地域識別判定部５４は、受信中の放送局の受信状態が悪化（例えば、受信不可）したときに、この放送局に対応する地域識別情報が、放送局登録部５８によって登録された複数の放送局のそれぞれに対応する地域識別情報の中で多数派か否かを判定する。図３に示す例では、受信中の放送局が「福島放送」の場合にはこの放送局の地域識別情報「福島」は多数派に属することになる。また、受信中の放送局が「テレビ東京」の場合にはこの放送局の地域識別情報「関東広域」は少数派であって多数派には属しないことになる。なお、多数派か否かの判定に代えて、過半数を占めるか否かの判定を行うようにしてもよい。
【００２９】
多数派放送局調査部５５は、受信中の放送局の受信状態が悪化した場合であって、この放送局の地域識別情報について、地域識別判定部５４によって多数派である旨の判定が行われなかったとき（少数派の場合）に、多数派となった地域識別情報に対応する放送局の受信状態を調査する。図３に示す例では、受信中の放送局が「テレビ東京」（地域識別情報が少数派の「関東広域」）の場合に、地域識別情報が多数派の「福島」に対応する他の７つの放送局の受信状態が調査される。
【００３０】
放送局検索処理部５６は、受信中の放送局の受信状態が悪化した場合であって、この放送局の地域識別情報について、地域識別判定部５４によって多数派である旨の判定が行われたときに、４つのチューナ部１０〜１６（あるいはその一部）に対して受信周波数を一方向に変化させる指示を行い、所定の受信周波数範囲（受信帯域内の全ての受信周波数範囲）について放送局を検索するスキャン動作や、受信中に受信状態が悪化した放送局の系列局を検索するサーチ動作を行う。
【００３１】
手動設定部５７は、利用者の手動操作（例えば、図示しない操作部を用いて行われる）に応じて、各プリセット番号に対応する放送局の登録処理や、登録済みの放送局の削除処理を行って、プリセット情報格納部６０の登録内容を更新する。
【００３２】
上述した放送局登録部５８、プリセット情報格納部６０が放送局登録手段に、４つのチューナ部１０〜１６が番組受信手段に、地域識別判定部５４が地域識別判定手段に、放送局検索処理部５６が放送局検索手段に、多数派放送局調査部５５が多数派放送局調査手段に、中継局検索部５３が中継局検索手段にそれぞれ対応する。
【００３３】
本実施形態の地上デジタル放送受信機１００はこのような構成を有しており、次に、受信状態が悪化したときに中継局やその他の放送局を検索してプリセット情報を登録する動作について説明する。
【００３４】
地上デジタル放送ではＭＰＥＧ２−ＴＳ（Transport Stream）規格に準拠した構造を有する放送波が配信される。ＭＰＥＧ２−ＴＳは、ＴＳヘッダ部と、ペイロード部（データ本体）とを有する。ＴＳヘッダ部とペイロード部とで１８８バイトのトランスポート・パケットが構成されている。また、このＭＰＥＧ２−ＴＳで伝送されるデータには、ＰＡＴ（Program Association Table）、ＰＭＴ、ＮＩＴ（Network Information Table）、ＢＩＴ（Broadcaster Information Table）などがある。
【００３５】
ＰＡＴ：番組（プログラム）番号ごとにその番組構成を記述しているテーブル（ＰＭＴ）を伝送しているトランスポート・パケットのＰＩＤ（Packet Identification、パケット識別情報）が記述されている。ＰＡＴ自身のＰＩＤは、固定値（０ｘ００００）を有する。このＰＡＴは、所定時間以内に１回受信される。
【００３６】
ＰＭＴ：このトランスポート・パケットのペイロード部に、１つの番組を構成するビデオ、オーディオなどの個別ストリームが伝送されているトランスポート・パケットのＰＩＤのリストや付属情報（サービス識別等）が記述されている。
【００３７】
図５は、ＰＭＴのデータ構造を示す図である。この中で、Ａで示された「ｐｒｏｇｒａｍ＿ｎｕｍｂｅｒ」は１６ビットのサービス識別を示す。図６は、サービス識別の詳細なビット配列を示す図である。この中で、６ビットの地域識別によって、関東広域、近畿広域、中京広域、福島等の地域を特定することができる。なお、この６ビットの地域識別と４ビットの地域事業者識別を組み合わせることで、このＰＭＴを含む放送波を送信している事業者を特定することができる。
【００３８】
ＮＩＴ：このトランスポート・パケットのペイロード部に、放送局のネットワーク情報が記述されている。
【００３９】
ＢＩＴ：このトランスポート・パケットのペイロード部に系列局情報が含まれる。ＢＩＴのＰＩＤは、固定値（０ｘ００２４）を有する。
【００４０】
図７は、現在受信中の放送局の受信状態が悪化したときにプリセット情報を更新する動作手順を示す流れ図である。例えば、４つのチューナ部１０〜１６を用いた４ダイバー構成のダイバーシティ受信が行われ、利用者が指定したフルセグメントデジタル放送の受信番組の音声がスピーカ４４から出力され、映像が表示装置４８の画面に表示されている（ステップ１００）。このような受信動作と並行して、受信状態判定部５１は、受信状態が悪化したか否かを判定する（ステップ１０２）。受信状態が良好な場合には否定判断が行われ、ステップ１００の受信動作とこの判定動作が繰り返される。
【００４１】
一方、受信状態が悪化するとステップ１０２の判定において肯定判断が行われ、次に、中継局検索部５３は、受信状態が悪化した放送局と同じ内容の番組を放送する中継局であって受信状態が良好な中継局を検索し（ステップ１０４）、該当する中継局があるか否かを判定する（ステップ１０６）。該当する中継局が検出された場合には肯定判断が行われ、受信周波数設定部５２は、チューナー部１０〜１６の受信周波数をこの検出された中継局に合わせて放送局の切り替えを行う（ステップ１０８）。また、放送局登録部５８は、検出された中継局に関してプリセット情報の更新を行う（ステップ１１０）。
【００４２】
また、中継局がない場合にはステップ１０６の判定において否定判断が行われる。次に、地域識別判定部５４は、受信状態が悪化した放送局に対応する地域識別情報が、放送局登録部５８によって登録されている他の放送局のそれぞれに対応する地域識別情報の中で多数派か否かを判定する（ステップ１１２）。多数派の場合には肯定判断が行われる。図３に示す例では、プリセット番号１〜６、８のいずれかの放送局を受信中に受信状態が悪化した場合がこれに当たる。この場合には、放送局検索処理部５６は、４つのチューナ部１０〜１６に対して受信周波数を一方向に変化させる指示を行って放送局を検索するスキャン動作を行う（ステップ１１４）。また、放送局登録部５８は、検出された放送局に関してプリセット情報の更新を行う（ステップ１１６）。
【００４３】
また、受信状態が悪化した放送局に対応する地域識別情報が多数派でない場合にはステップ１１２の判定において否定判断が行われる。図３に示す例では、プリセット番号７の「テレビ東京」を受信中に受信状態が悪化した場合がこれに当たる。
【００４４】
次に、多数派放送局調査部５５は、その時点で多数派となった地域識別情報に対応する放送局の受信状態を調査し（ステップ１１８）、多数派の地域識別情報を有する各放送局の受信状態が悪いか否かを判定する（ステップ１２０）。これらの各放送局の受信状態も悪い場合、すなわち、少数派および多数派の地域識別情報を有する放送局の受信状態がともに悪い場合には肯定判断が行われ、ステップ１１４に移行してその時点で受信可能な放送局のスキャン動作が行われる。
【００４５】
また、多数派の地域識別情報を有する各放送局については受信状態が悪くない場合、受信中の少数派の地域識別情報を有する放送局の受信状態のみが悪い場合にはステップ１２０の判定において否定判断が行われる。次に、手動設定部５７は、受信状態が悪化した放送局のプリセット情報について、利用者によって削除が指示されたか否かを判定する（ステップ１２２）。削除が指示された場合には肯定判断が行われ、手動設定部５７は、該当する放送局のプリセット情報を削除する（ステップ１２４）。例えば、図４に示す例では、プリセット番号７の「テレビ東京」の受信状態が悪化し、プリセット番号１〜６、８の他の放送局の受信状態が良好な場合に、「テレビ東京」の削除が指示されると、プリセット番号７の登録内容の削除が行われる。なお、利用者によって削除が指示されない場合にはステップ１２２の判定において否定判断が行われ、プリセット情報の削除は実施されずにその内容が維持される。
【００４６】
このように、本実施形態の地上デジタル放送受信機１００では、車両の移動に伴って受信中の放送局の受信状態が悪化したときにこの放送局の地域識別情報が多数派の場合に放送局を検索するスキャン動作を行っている。このため、受信状態が悪化した放送局の地域識別情報が少数派の場合にスキャン動作を省略することが可能になり、この放送局の受信を継続した場合に複数回のスキャン動作が繰り返されることを回避でき、頻繁にスキャン動作が繰り返されることによる受信品質の低下を抑制することが可能となる。
【００４７】
具体的には、本実施形態では、図３に示すプリセット情報を登録するために行われるスキャン動作を行った後に、図３の内容とほぼ一致する図４に示すプリセット情報を登録するために行われるスキャン動作を省略することができる。
【００４８】
また、受信中の放送波の地域識別情報が少数派に属する場合であっても、多数派に属する地域識別情報を有する他の放送局の受信状態も同時に悪化している場合には放送局のスキャン動作が行われるため、移動に伴って各放送局の受信環境全体が悪化した場合に、その場所で良好な受信が可能な放送局に入れ替えることが可能となる。
【００４９】
また、特に、多数派の放送局の受信状態が悪化していない場合に、受信中に受信状態が悪化した放送局について、利用者によって削除指示がなされたときにプリセット情報の登録を削除しており、スキャン動作の無駄な繰り返しを回避しつつ、不必要な登録情報の削除が可能となる。
【００５０】
また、受信中の放送局の受信状態が悪化した場合であっても、受信状態が良好な中継局が存在する場合には、受信状態が悪化した放送局をこの中継局と入れ替えることにより、無駄なスキャン動作を回避することができる。
【００５１】
なお、本発明は上記実施形態に限定されるものではなく、本発明の要旨の範囲内において種々の変形実施が可能である。例えば、上述した実施形態では、中継局やその他の放送局を検索するスキャン動作が行われるが、これらのスキャン動作は、４つのチューナ部１０〜１６を用いて行うようにしてもよい（この場合には、受信中の放送局の番組内容の表示が中断される）が、一部のチューナ部を用いて番組内容の表示を継続し、残りのチューナ部を用いてバックグラウンドでスキャン動作を並行して行うようにしてもよい。
【００５２】
また、上述した実施形態では、図７のステップ１１４において周波数帯域内の全ての放送局を対象にしたスキャン動作を行ったが、このステップ１１４を、受信中に受信状態が悪化した放送局の系列局を周波数帯域内で検索するサーチ動作を行うステップ１１４Ａに置き換えるようにしてもよい。例えば、系列局を検索するサーチ動作は、次のようにして行うことができる。
（１）周波数帯域内の全周波数を対象に順番に周波数を切り替える。
（２）順番に切り替えた周波数において、ＢＩＴ（系列局情報）を取得して、拡張ブロードキャスト記述子に含まれるaffiliation#id（系列局ＩＤ）が、受信状態が悪化した放送局の系列局ＩＤと同じ場合にはサーチ動作を停止する。
【００５３】
図８は、ＢＩＴのデータ構造を示す図である。この中で、Ｂで示された拡張ブロードキャスタ記述子（詳細は図９）には、ａｆｆｉｌｉａｔｉｏｎ＿ｉｄ（系列局識別）が含まれている。
【００５４】
また、上述した実施形態では、車両に搭載された地上デジタル放送受信機について説明したが、携帯可能な地上デジタル放送受信機を、車両や電車等に登場した利用者が携帯するような場合についても本発明を適用することができる。
【産業上の利用可能性】
【００５５】
上述したように、本発明によれば、移動に伴って受信中の放送局の受信状態が悪化したときにこの放送局の地域識別情報が多数派の場合に放送局（あるいは系列局）を検索するスキャン動作やサーチ動作を行っているため、受信状態が悪化した放送局の地域識別情報が少数派の場合にスキャン動作やサーチ動作を省略することが可能になり、この放送局の受信を継続した場合に複数回のスキャン動作やサーチ動作が繰り返されることを回避でき、頻繁にスキャン動作やサーチ動作が繰り返されることによる受信品質の低下を抑制することが可能となる。
【符号の説明】
【００５６】
１００  地上デジタル放送受信機
１０、１２、１４、１６  チューナ部
３０、３２  ＯＦＤＭ復調部
４０  ＭＰＥＧデコーダ
４２  デジタル−アナログ変換器（Ｄ／Ａ）
４４  スピーカ
４６  表示処理部
５８  表示装置
５０  制御部
５１  受信状態判定部
５２  受信周波数設定部
５３  中継局検索部
５４  地域識別判定部
５５  多数派放送局調査部
５６  放送局検索処理部
５７  手動設定部
５８  放送局登録部
６０  プリセット情報格納部
【図１】
0006305895.tif 000002
【図２】
0006305895.tif 000003
【図３】
0006305895.tif 000004
【図４】
0006305895.tif 000005
【図５】
0006305895.tif 000006
【図６】
0006305895.tif 000007
【図７】
0006305895.tif 000008
【図８】
0006305895.tif 000009
【図９】
0006305895.tif 000010